【手続補正書】
【提出日】平成23年10月21日(2011.10.21)
【手続補正１】
【補正対象書類名】明細書
【補正対象項目名】００７４
【補正方法】変更
【補正の内容】
【００７４】
また、バスケットは、底部６の中心と、リッド８の中心とを連結する中心ビーム１２を有する。このビーム１２は中空であり、後述する中心連結ロッド１４に通過される。このため、底部６とリッド８とは、この中心連結ロッド１４を貫通させる中心開口部１５を有する。
【手続補正２】
【補正対象書類名】明細書
【補正対象項目名】０１４１
【補正方法】変更
【補正の内容】
【０１４１】
軸方向の遊びにより、移動の危険性なく、プレートは自由に変形可能であり、例えば、支持深度4.3mmに対して1.7mmの遊びが可能である。支持深度4.3mmは、歯部の凹部２４に対する侵入距離に対応し、1.7mmの遊びは、歯部の頂部と凹部２４の底部との間の遊びである。
【手続補正３】
【補正対象書類名】特許請求の範囲
【補正対象項目名】全文
【補正方法】変更
【補正の内容】
【特許請求の範囲】
【請求項１】
縦方向軸（Ｘ）を備えた核燃料プレート（４）の支持装置であって、
前記支持装置の縦方向の下端を形成する底部（６）と前記支持装置の縦方向の上端を形成するリッド（８）とを含み、
前記底部（６）と前記リッド（８）とが、中央連結手段および周辺連結手段を介して互いに連結され、
前記リッド（８）に取り付けられ、前記プレート（４）を支持するための複数の上部手段（１８）と、
前記底部（６）に取り付けられ、前記プレート（４）を支持するための複数の下部手段（１６）とを含み、
上部支持手段（１８）それぞれは、前記プレート（４）の幅（Ｒ）方向において、プレート（４）の縦方向の上端を弾性的に支持し、前記プレートの厚み（Ｔ）方向において、前記プレート（４）の前記縦方向の上端の自由変形を可能とし、
下部支持手段（１６）それぞれは、前記プレート（４）の幅（Ｒ）方向において、プレート（４）の縦方向の下端を弾性的に支持し、前記プレート（４）の厚み（Ｔ）方向において、前記プレート（４）の前記縦方向の下端の移動を可能とする、支持装置。
【請求項２】
上部支持手段（１８）それぞれは、前記底部（６）に向かって縦方向に突出する、整列した歯部（２２、２２´）を多数備え、前記歯部の一つ（２２´）が前記プレート（４）の前記幅（Ｒ）方向に沿って弾性力を働かせることが可能な、上部櫛部を含み、
下部支持手段（１６）それぞれは、前記リッド（８）に向かって縦方向に突出する、整列した歯部（２２、２２´）を多数備え、前記歯部の一つ（２２´）が前記プレート（４）の前記幅（Ｒ）方向に沿って弾性力を働かせることが可能な、下部櫛部を含む、
請求項１に記載の支持装置。
【請求項３】
前記プレート（４）の前記幅（Ｒ）方向に沿って弾性力を働かせることが可能な前記歯部（２２´）が、前記底部（６）および前記リッド（８）の中心部に向かって配置された前記下部（１６）および上部（１８）の櫛部の軸端にそれぞれ配置される、
請求項２に記載の支持装置。
【請求項４】
前記プレート（４）の前記幅（Ｒ）方向に沿って弾性力を働かせることが可能な前記歯部（２２´）が、単一部品の弾性変形可能な湾曲タブ（２６）を前記歯部（２２´）に少なくとも一つ含む、
請求項２または３に記載の支持装置。
【請求項５】
正六角形形状を有する断面を有し、前記上部（１８）および下部（１６）支持手段が３つの菱形形状領域に分配され、前記底部（６）の菱形が前記リッド（８）の菱形に対向する、
請求項１〜４のいずれか１項に記載の支持装置。
【請求項６】
同じ領域の前記下部櫛部（１６）が、前記菱形の２面に平行に配置されるとともに所与の距離を隔て、同じ領域における前記上部櫛部（１８）すべてが、２面に平行に配置されるとともに前記所与の距離を隔てる、
請求項５に記載の支持装置。
【請求項７】
前記底部（６）および前記リッド（８）の周囲に取り付けられ、前記底部（６）と前記リッド（８）とを連結する、縦方向連結ロッド（１０）を３つ有する、
請求項１〜６のいずれか１項に記載の指示装置。
【請求項８】
前記底部（６）と前記リッド（８）との間に挿入された中央ビーム（１２）を有し、前記ビーム（１２）が縦方向貫通経路を有する、
請求項１〜７のいずれか１項に記載の支持装置。
【請求項９】
上方の支持装置を正しい位置に配置する手段（２８）を有し、前記支持装置に配置された前記プレート（４）が、前記上方の支持装置に配置されたプレートと整列するように、底部（６）が前記リッド（８）に載置される、
請求項１〜８のいずれか１項に記載の支持装置。
【請求項１０】
前記配置手段（２８）が、六角形形状の周囲を区切るように、前記リッド（８）の周囲に取り付けられ、前記底部（６）から縦方向に突出する小プレートを有する、
請求項９に記載の支持装置。
【請求項１１】
前記小プレート（２８）が、前記縦方向連結ロッド（１０）に取り付けられた、
請求項７と組み合わされた請求項１０に記載の支持装置。
【請求項１２】
請求項１〜１１に記載の少なくとも一つの第一および第二の支持装置と、前記第一および第二の支持装置に積載される核燃料プレート（４）とを有し、前記第二の支持装置が、前記第一の支持装置の上にスタックされ、前記第二の支持装置の前記底部（６）が、前記第一の支持装置の前記リッド（８）に載置される、核分裂性バンドル。
【請求項１３】
前記第一の支持装置の前記底部（６）が載置されるベース（３０）と、前記ベース（３０）の中央領域に取り付けられ、前記中央ビーム（１２）を縦方向に貫通する中央連結ロッド（１４）と、前記中央連結ロッドに取り付けられた上部受部とを有する、
請求項８と組み合わされた請求項１２に記載の核分裂性バンドル。
【請求項１４】
前記底部（６）が前記ベース（３０）に載置される下方の支持装置を正しい位置に配置するための手段（３２）を有し、前記配置手段（３２）が、前記ベース（３０）の周囲に取り付けられ、六角形形状の周囲を区切るように、前記底部（６）に向かって縦方向に突出する小プレートを有する、
請求項１３に記載の核分裂性バンドル。
【請求項１５】
前記プレート（４）が、縦方向端部に、前記歯部（２２、２２´）に適合する形状の軸方向のキャビティ（２４）を有し、該キャビティ（２４）の深度が、前記歯部（２２、２２´）の縦方向の大きさよりも大きく、該キャビティ（２４）の幅が、前記歯部（２２、２２´）の幅よりも大きい、
請求項２と組み合わされた請求項１２〜１４のいずれか１項に記載の核分裂性バンドル。
【請求項１６】
前記プレート（４）が、第一のパネル（１０４）と、分離セル（１０８）を形成するために前記第一のパネル（１０４）に相まって取り付けられた多数の壁のグリッド（１０６）と、２つの対向する面の間の軸（ＡＡ）に沿って延びる少なくとも一つの核燃料ペレット（１１０）とを有し、前記ペレット（１１０）が、壁と前記ペレット（１１０）との間に半径方向の遊び（１１４）を備えてセル（１０８）に位置し、前記ペレット（１１０）の前記軸（ＡＡ）が、前記セル（１０８）の前記壁に対して実質的に平行である、
請求項１２〜１５のいずれか１項に記載の核分裂性バンドル。
【請求項１７】
前記プレートが、前記セル（１０８）を閉じるために、前記グリッド（１０６）に相まって取り付けられ、前記第一のパネル（１０４）に平行で対向する、第二の平面パネル（１０２）を有する、
請求項１６に記載の核分裂性バンドル。
【請求項１８】
前記プレートが、前記セル（１０８）を閉じるために、前記第一のパネル（１０４）の前記グリッド（１０６）に対して補完的な突出グリッド（１０６´）を含み、前記第一のプレート（１０４）の前記グリッド（１０６）に相まって取り付けられる、第二のパネル（１０２）を有する、
請求項１７に記載の核分裂性バンドル。
【請求項１９】
前記グリッド（１０６）が、六角形のセル（１０８）を備えたハニカム構造である、
請求項１６〜１８のいずれか１項に記載の核分裂性バンドル。
【請求項２０】
請求項１２〜１９のいずれか１項に記載の核分裂性バンドルと、縦方向軸と六角形断面とを備え、前記核分裂性バンドルの周囲に取り付けられるケース（３４）とを有する、
熱伝導ガスを備えた高温高速核反応炉用の核燃料コアアセンブリ。
【請求項２１】
前記ケースと前記核分裂性バンドルとの間に遊びが設けられ、この遊びが、前記支持装置の前記周囲に取り付けられた前記小プレート（２８）と、前記ベースの前記周囲に取り付けられた小プレート（３２）とにおいて、より小さい、
請求項２０に記載のコアアセンブリ。